(57)【特許請求の範囲】
【請求項１】
（ａ）帳票を載置するためのマットと、
（ｂ）該マットより上方に配設され、前記帳票の画像を取得するスキャナ部と、
（ｃ）該スキャナ部を支持するスキャナ台と、
（ｄ）前記マット上に移動自在に配設され、退避位置及び印字位置に選択的に置かれるプリンタ部と、
（ｅ）該プリンタ部が印字位置に置かれたときに、前記プリンタ部とマットとの間に帳票を挟んで固定する固定手段とを有することを特徴とする画像読取装置。
【請求項２】
前記プリンタ部は、前記スキャナ台のスタンドに対して揺動自在に配設される請求項１に記載の画像読取装置。
【請求項３】
前記プリンタ部は、スキャナ台に取り付けられたレールに沿って進退自在に配設される請求項１に記載の画像読取装置。
【請求項４】
（ａ）帳票の画像データに基づいて、帳票フォーマットを識別する識別手段と、
（ｂ）識別された帳票フォーマットに対応する印字位置を検出する印字位置検出手段と、
（ｃ）前記プリンタ部を印字位置に移動させる移動手段とを有する請求項１に記載の画像読取装置。
【発明の詳細な説明】
【０００１】
【発明の属する技術分野】
本発明は、画像読取装置に関するものである。
【０００２】
【従来の技術】
従来、金融機関等における画像読取装置においては、印鑑登録票、振込依頼票等の帳票の画像を取得し、取得された画像のデータ、すなわち、画像データに基づいて画像の伝送、文字の認識等の各種の処理を行うようになっている。そして、非接触型のスキャナ装置を備えた画像読取装置の場合、例えば、机上にセットされた帳票の画像をスキャナ装置によって取得するようになっているので、帳票をスキャナ装置の挿入口に挿入する必要がなく、操作性が高い（特開平８−９１０２号公報参照）。
【０００３】
【発明が解決しようとする課題】
しかしながら、前記従来の画像読取装置においては、画像が取得されたことを認証するために、帳票に対して認証番号等の印字、すなわち、認証印字を行おうとすると、例えば、オペレータは、帳票を、スキャナ装置から取り出した後、通帳伝票プリンタに挿入して認証印字を行わなければならない。したがって、作業が煩わしいだけでなく、画像が取得されていないにもかかわらず故意又は過誤によって認証印字が行われることがある。
本発明は、前記従来の画像読取装置の問題点を解決して、画像が取得されていないにもかかわらず故意又は過誤によって認証印字が行われることがない画像読取装置を提供することを目的とする。
【０００４】
そのために、本発明の画像読取装置においては、帳票を載置するためのマットと、該マットより上方に配設され、前記帳票の画像を取得するスキャナ部と、該スキャナ部を支持するスキャナ台と、前記マット上に移動自在に配設され、退避位置及び印字位置に選択的に置かれるプリンタ部と、該プリンタ部が印字位置に置かれたときに、前記プリンタ部とマットとの間に帳票を挟んで固定する固定手段とを有する。
【０００５】
【発明の実施の形態】
以下、本発明の実施の形態について図面を参照しながら詳細に説明する。
【０００６】
図１は本発明の第１の実施の形態における画像読取装置の画像読取状態を示す斜視図、図２は本発明の第１の実施の形態における画像読取装置の認証印字状態を示す斜視図である。
【０００７】
図において、１１は印鑑登録票、振込依頼票等の媒体としての帳票、１２はマット１５より上方に配設され、帳票１１の画像を取得するスキャナ部、１３はマット１５上に配設され、前記スキャナ部１２を支持するスキャナ台、１４は、マット１５上において一端がスキャナ台１３のスタンド１３ａに連結され、該スタンド１３ａに対して移動自在、すなわち、揺動自在に配設され、図１に示されるように退避位置に置かれたり、図２に示されるように印字位置に置かれたりするプリンタ部である。前記スキャナ部１２は柱３０によって支持され、帳票１１とスキャナ部１２との間に所定の距離が置かれる。前記プリンタ部１４は、画像が取得された後に、画像が取得されたことを認証するために、帳票に対して認証印字を行う。また、前記マット１５は黒色の材料によって形成され、マット１５に帳票１１が載置される。そして、マット１５の上端の近傍の所定の位置に、前記帳票１１を固定するための第１のマグネット３１が配設される。一方、前記プリンタ部１４の裏面の前記第１のマグネット３１と対応する部分には、図示されない第２のマグネットが配設され、前記プリンタ部１４を印字位置に置くと、前記第１のマグネット３１と第２のマグネットとが互いに吸引し、マット１５上に置かれた帳票１１を挟んで固定する。なお、第１のマグネット３１及び第２のマグネットによって固定手段が構成される。また、マット１５上に形成された図示されない突当ガイドに帳票１１を突き当てると、帳票１１は図示されない基準線に合わせて置かれることになる。なお、必要に応じてマット１５を交換することができる。
【０００８】
図３は本発明の第１の実施の形態における画像読取装置のブロック図である。
【０００９】
図において、１２はスキャナ部、１４はプリンタ部、３３は制御部、３４は上位装置である。前記制御部３３は、スキャナ部１２の制御を行うスキャナ制御部２１、プリンタ部１４の制御を行うプリンタ制御部２２、並びに前記スキャナ制御部２１及びプリンタ制御部２２の制御を行うメイン制御部２３を備える。該メイン制御部２３は、上位装置３４と接続され、該上位装置３４からの指示に従って画像の取得、認証印字等を行う。
【００１０】
次に、前記構成の画像読取装置の動作について説明する。
【００１１】
図４は本発明の第１の実施の形態における画像読取装置の動作を示すフローチャートである。
【００１２】
まず、オペレータが、帳票１１を、マット１５（図１）上に形成された図示されない突当ガイドに突き当てることによって画像読取装置にセットし、マット１５上に載置するとともに、上位装置３４（図３）に接続された図示されないキーボードを操作すると、上位装置３４からメイン制御部２３に読取指示が送られる。メイン制御部２３は、読取指示を受けると、読取指示に従ってスキャナ制御部２１を介してスキャナ部１２を作動させ、該スキャナ部１２は、帳票１１上の所定の読取範囲内の画像を取得する。前記メイン制御部２３は、帳票１１の画像データを読み込んで上位装置３４に転送する。そして、該上位装置３４は、図示されない認識手段によって、前記画像データに従って前記読取範囲内にある帳票１１上の文字を認識して図示されない表示部に表示したり、画像の伝送を行ったりする。
【００１３】
続いて、オペレータは、表示部に表示された内容を確認し、認識された文字が正しいかどうかを判断し、認識された文字が正しい場合、前記キーボードの「確認」キーを押し、プリンタ部１４を回動させて印字位置に置く。このとき、第１のマグネット３１と図示されない第２のマグネットとが互いに吸引し、マット１５上に載置された帳票１１を挟んで固定する。そして、プリンタ部１４は認証印字を行う。なお、認証印字によって印字される内容は、例えば、１０桁（けた）のシリアル番号とする。このようにして、認証印字が行われると、オペレータは、プリンタ部１４を回動させて退避位置に置く。
【００１４】
また、認識された文字が正しくない場合、オペレータは、画像読取装置に再び帳票１１をセットし、キーボードを操作して、上位装置３４からメイン制御部２３に読取指示が送られる。
【００１５】
このように、画像が取得されたことを認証するために、オペレータは、帳票１１を画像読取装置から取り出すことなく、認証印字を行うことができる。したがって、作業を簡素化することができるだけでなく、画像が取得されていないにもかかわらず故意又は過誤によって認証印字が行われることがなくなる。
【００１６】
また、マット１５上に置かれた帳票１１が第１のマグネット３１及び第２のマグネットによって挟まれて固定された状態で、認証印字が行われるので、認証印字にずれが発生するのを防止することができる。
【００１７】
さらに、認証印字を行う必要がない場合にプリンタ部１４を退避位置に置くと、画像読取装置が小型化されるので、机上のスペースを有効に利用することができる。
【００１８】
次に、フローチャートについて説明する。
ステップＳ１  帳票１１を画像読取装置にセットする。
ステップＳ２  読取指示を受ける。
ステップＳ３  画像を取得する。
ステップＳ４  認識された文字が正しいかどうかを判断する。認識された文字が正しい場合はステップＳ５に進み、正しくない場合はステップＳ１に戻る。
ステップＳ５  プリンタ部１４を回動させて印字位置に置く。
ステップＳ６  認証印字を行う。
ステップＳ７  プリンタ部１４を回動させて退避位置に置く。
【００１９】
次に、本発明の第２の実施の形態について説明する。なお、第１の実施の形態と同じ構造を有するものについては、同じ符号を付与することによってその説明を省略する。
【００２０】
図５は本発明の第２の実施の形態における画像読取装置の画像読取状態を示す斜視図、図６は本発明の第２の実施の形態における画像読取装置の認証印字状態を示す斜視図である。
【００２１】
この場合、マット１５の一方の縁部に沿ってスキャナ台４３が配設され、前記マット１５の他方の縁部に沿って、前記スキャナ台４３と平行にレール壁４５が配設され、前記スキャナ台４３及びレール壁４５に、互いに対向させてレール４６、４７がそれぞれ取り付けられる。そして、該レール４６、４７に沿って進退自在にプリンタ部４４が配設され、該プリンタ部４４は、図５に示されるように退避位置に置かれたり、図６に示されるように印字位置に置かれたりする。また、スキャナ台４３に隣接させて突当ガイド４８が配設され、帳票１１を突当ガイド４８に突き当てると、帳票１１は図示されない基準線に合わせて置かれることになる。
【００２２】
次に、前記構成の画像読取装置の動作について説明する。
【００２３】
図７は本発明の第２の実施の形態における画像読取装置の動作を示すフローチャートである。
【００２４】
まず、オペレータが、帳票１１（図５）を、突当ガイド４８に突き当てることによって画像読取装置にセットし、マット１５上に載置するとともに、上位装置３４（図３）に接続された図示されないキーボードを操作すると、上位装置３４からメイン制御部２３に読取指示が送られる。メイン制御部２３は、読取指示を受けると、読取指示に従ってスキャナ制御部２１を介してスキャナ部１２を作動させ、該スキャナ部１２は、帳票１１上の所定の読取範囲内の画像を取得する。前記メイン制御部２３は、帳票１１の画像データを読み込んで上位装置３４に転送する。そして、該上位装置３４は、図示されない認識手段によって、前記画像データに従って前記読取範囲内にある帳票１１上の文字を認識して図示されない表示部に表示したり、画像の伝送を行ったりする。
【００２５】
続いて、オペレータは、表示部に表示された内容を確認し、認識された文字が正しいかどうかを判断し、認識された文字が正しい場合、前記キーボードの「確認」キーを押し、プリンタ部１４を移動させて印字位置に置く。このとき、前記マット１５上に配設された第１のマグネット３１とプリンタ部１４の裏面に配設された図示されない第２のマグネットとが互いに吸引し、マット１５上に載置された帳票１１を挟んで固定する。なお、前記第１のマグネット３１及び第２のマグネットによって固定手段が構成される。
【００２６】
そして、プリンタ部１４は認証印字を行う。なお、認証印字によって印字される内容は、例えば、１０桁のシリアル番号とする。このようにして、認証印字が行われると、オペレータは、プリンタ部１４を移動させて退避位置に置く。
【００２７】
また、認識された文字が正しくない場合、オペレータは、画像読取装置に再び帳票１１をセットし、キーボードを操作して、上位装置３４からメイン制御部２３に読取指示が送られる。
【００２８】
このように、画像が取得されたことを認証するために、オペレータは、帳票１１を画像読取装置から取り出すことなく、認証印字を行うことができる。したがって、作業を簡素化することができるだけでなく、画像が取得されていないにもかかわらず故意又は過誤によって認証印字が行われることがなくなる。
【００２９】
また、マット１５上に置かれた帳票１１が第１のマグネット３１及び第２のマグネットによって挟まれて固定された状態で、認証印字が行われるので、認証印字にずれが発生するのを防止することができる。
【００３０】
次に、フローチャートについて説明する。
ステップＳ１１  帳票１１を画像読取装置にセットする。
ステップＳ１２  読取指示を受ける。
ステップＳ１３  画像を取得する。
ステップＳ１４  認識された文字が正しいかどうかを判断する。認識された文字が正しい場合はステップＳ１５に進み、正しくない場合はステップＳ１１に戻る。
ステップＳ１５  プリンタ部１４を移動させて印字位置に置く。
ステップＳ１６  認証印字を行う。
ステップＳ１７  プリンタ部１４を移動させて退避位置に置く。
【００３１】
次に、本発明の第３の実施の形態について説明する。なお、第２の実施の形態と同じ構造を有するものについては、同じ符号を付与することによってその説明を省略する。
【００３２】
図８は本発明の第３の実施の形態における画像読取装置のブロック図である。
【００３３】
図において、５０は上位装置であり、該上位装置５０は帳票フォーマットが格納された帳票フォーマット記憶部５１を備える。
【００３４】
この場合、スキャナ部１２は、帳票１１（図５）上の所定の読取範囲内の画像を取得し、メイン制御部２３は、画像データを読み込んで、上位装置５０に転送する。そして、該上位装置５０は、前記画像データに従って前記読取範囲内にあるマット１５上の文字を認識するとともに、帳票フォーマットを識別し、識別された帳票フォーマットに対応する印字位置を帳票フォーマット記憶部５１から読み出し、制御部３３に送る。該制御部３３において、メイン制御部２３は、プリンタ部４４を移動させて前記印字位置に置く。
【００３５】
次に、前記構成の画像読取装置の動作について説明する。
【００３６】
図９は本発明の第３の実施の形態における画像読取装置の動作を示すフローチャートである。
【００３７】
まず、オペレータが、帳票１１（図５）を、突当ガイド４８に突き当てることによって画像読取装置にセットし、マット１５上に載置するとともに、上位装置５０（図８）に接続された図示されないキーボードを操作すると、上位装置５０からメイン制御部２３に読取指示が送られる。メイン制御部２３は、読取指示を受けると、読取指示に従ってスキャナ制御部２１を介してスキャナ部１２を作動させ、該スキャナ部１２は、帳票１１上の所定の読取範囲内の画像を取得する。前記メイン制御部２３は、帳票１１の画像データを読み込んで上位装置５０に転送する。そして、該上位装置５０は、図示されない認識手段によって、前記画像データに従って前記読取範囲内にある帳票１１上の文字を認識して図示されない表示部に表示したり、画像の伝送を行ったりする。また、前記上位装置５０は、図示されない識別手段によって帳票フォーマットを識別して図示されない印字位置検出手段によって、帳票フォーマットに対応する印字位置を帳票フォーマット記憶部５１から読み出すことによって検出し、検出された印字位置の情報を制御部３３に送る。
【００３８】
続いて、オペレータは、前記表示部に表示された内容を確認し、認識された文字が正しいかどうかを判断し、認識された文字が正しい場合、前記キーボードの「確認」キーを押す。これによって、前記制御部３３において、メイン制御部２３内の図示されない移動手段は、前記情報に従って前記プリンタ部４４を移動させて前記印字位置に置く。なお、前記プリンタ部４４を移動させるために、駆動手段としての図示されないモータ、該モータを駆動するためのドライバ等が配設される。
【００３９】
このとき、マット１５上に配設された第１のマグネット３１とプリンタ部４４の裏面に配設された図示されない第２のマグネットとが互いに吸引し、マット１５上に置かれた帳票１１を挟んで固定する。なお、前記第１のマグネット３１及び第２のマグネットによって固定手段が構成される。
【００４０】
そして、プリンタ部４４は認証印字を行う。なお、認証印字によって印字される内容は、例えば、１０桁のシリアル番号とする。このようにして、認証印字が行われると、前記移動手段は、プリンタ部４４を移動させて退避位置に置く。
【００４１】
また、認識された文字が正しくない場合、オペレータは、画像読取装置に再び帳票１１をセットし、キーボードを操作して、上位装置５０からメイン制御部２３に読取指示が送られる。
【００４２】
このように、画像が取得されたことを認証するために、オペレータは、帳票１１を画像読取装置から取り出すことなく、認証印字を行うことができる。したがって、作業を簡素化することができるだけでなく、画像が取得されていないにもかかわらず故意又は過誤によって認証印字が行われることがなくなる。
【００４３】
また、マット１５上に置かれた帳票１１が第１のマグネット３１及び第２のマグネットによって挟まれて固定された状態で、認証印字が行われるので、認証印字にずれが発生するのを防止することができる。
【００４４】
次に、フローチャートについて説明する。
ステップＳ２１  帳票１１を画像読取装置にセットする。
ステップＳ２２  読取指示を受ける。
ステップＳ２３  画像を取得する。
ステップＳ２４  認識された文字が正しいかどうかを判断する。認識された文字が正しい場合はステップＳ２５に進み、正しくない場合はステップＳ２１に戻る。
ステップＳ２５  帳票フォーマットを識別する。
ステップＳ２６  プリンタ部４４を移動させて前記印字位置に置く。
ステップＳ２７  認証印字を行う。
ステップＳ２８  プリンタ部４４を移動させて退避位置に置く。
【００４５】
なお、本発明は前記実施の形態に限定されるものではなく、本発明の趣旨に基づいて種々変形させることが可能であり、それらを本発明の範囲から排除するものではない。
【００４６】
【発明の効果】
以上詳細に説明したように、本発明によれば、画像読取装置においては、帳票を載置するためのマットと、該マットより上方に配設され、前記帳票の画像を取得するスキャナ部と、該スキャナ部を支持するスキャナ台と、前記マット上に移動自在に配設され、退避位置及び印字位置に選択的に置かれるプリンタ部と、該プリンタ部が印字位置に置かれたときに、前記プリンタ部とマットとの間に帳票を挟んで固定する固定手段とを有する。
【００４７】
この場合、画像が取得されたことを認証するために、オペレータは、帳票を画像読取装置から取り出すことなく、認証印字を行うことができる。したがって、作業を簡素化することができるだけでなく、画像が取得されていないにもかかわらず故意又は過誤によって認証印字が行われることがなくなる。
【００４８】
また、帳票が固定手段によって挟まれて固定された状態で、認証印字が行われるので、認証印字にずれが発生するのを防止することができる。
【図面の簡単な説明】
【図１】本発明の第１の実施の形態における画像読取装置の画像読取状態を示す斜視図である。
【図２】本発明の第１の実施の形態における画像読取装置の認証印字状態を示す斜視図である。
【図３】本発明の第１の実施の形態における画像読取装置のブロック図である。
【図４】本発明の第１の実施の形態における画像読取装置の動作を示すフローチャートである。
【図５】本発明の第２の実施の形態における画像読取装置の画像読取状態を示す斜視図である。
【図６】本発明の第２の実施の形態における画像読取装置の認証印字状態を示す斜視図である。
【図７】本発明の第２の実施の形態における画像読取装置の動作を示すフローチャートである。
【図８】本発明の第３の実施の形態における画像読取装置のブロック図である。
【図９】本発明の第３の実施の形態における画像読取装置の動作を示すフローチャートである。
【符号の説明】
１１    帳票
１２    スキャナ部
１３、４３    スキャナ台
１３ａ    スタンド
１４、４４    プリンタ部
１５    マット
２３    メイン制御部
３１    第１のマグネット
４６、４７    レール
５０    上位装置
【図１】
0004320853.tif 000002
【図２】
0004320853.tif 000003
【図３】
0004320853.tif 000004
【図４】
0004320853.tif 000005
【図５】
0004320853.tif 000006
【図６】
0004320853.tif 000007
【図７】
0004320853.tif 000008
【図８】
0004320853.tif 000009
【図９】
0004320853.tif 000010